(57)【要約】      （修正有）【課題】ひとつの光源から多数点で光を取り出せる発光装置を提供する。【解決手段】発光装置はＬＥＤ等の光源の出光面と、透明なガラスや樹脂製の棒状もしく紐状の導光体の端面を、導光体とほぼ同じ屈折率を有する透明な接着剤もしくは溶剤で接合し光を投入し、同導光体側面の表面の所要発光位置に前記透明な接着剤もしくは溶剤で光透過体を接合して構成する。光透過体はビーズや多面体の透明あるいは着色されたガラスもしくは樹脂より成り、接合面の接着剤等からの屈折、透過効果で漏れ出すが、その光を用いて発光体として作用させる。【選択図】図１
0003173083.tif 000002
【実用新案登録請求の範囲】
【請求項１】
発光ダイオード（ＬＥＤ）や冷陰極管（ＣＣＦＬ）、有機ＥＬ等光源の発光面もしくは他の発光体の出光面と、透明なガラスや樹脂製の棒状もしくは紐状よりなる導光体の端面部を、ほぼ同じ屈折率の透明な接着剤あるいは溶剤を用いて接合し、前記導光体の側面の表面で端部と適宜離れた位置に、前記と同種の透明な接着剤もしくは溶剤で、透明もしくは光透過性の着色をされ場合により光屈折効果が付与されたビーズ、板あるいは多面体や球体形状の光透過体を接合し、前記光源から前記導光体に投入された光が内部を伝わりこの接合部を経て光透過体から出光し、光透過体が光るようにしてなる発光装置。
【請求項２】
請求項１に記載する発光装置を同じ列に複数個並べ面状の発光効果を得る様にしてなる発光装置。
【請求項３】
請求項１に記載する発光装置を複数個互いに絡ませもしくは織って一体として発光するようにしてなる発光装置。
【請求項４】
請求項１に記載する発光装置の導光体出光端部を別体の本案と同様な発光装置の導光体の側面表面もしくは端面と互いに屈折率のほぼ同じ透明接着剤あるいは溶剤で接合し組み合わせてなる発光装置。
【考案の詳細な説明】
【技術分野】
【０００１】本考案は発光ダイオード（ＬＥＤ）や冷陰極管（ＣＣＦＬ）あるいは有機ＥＬ等の光源から出射された光を透明なガラスや樹脂製の棒状や紐状の導光体に導き入れ適宜離れたところの表面から自在に出光させる装置に関するものである。
【背景技術】
【０００２】光源からの光を離れたところに導き出光させる装置には代表として光ファイバーがある。これは透明なガラスあるいは樹脂を細い繊維状ファイバーとしその円形断面内を互いに同心円状に設けた屈折率の異なる材質とすることで、内部に入った光がほとんど全反射して進むことで、ファイバーの表面等途中で漏れず目的までの端末まで到達するものである。主に通信システムで光信号の伝達や多数束ねて内視鏡あるいは太陽光の伝達等に用いられている。また、バックライト型液晶ディスプレー（ＬＣＤ）では、ＬＥＤやＣＣＦＬあるいは有機ＥＬ等の光源を、透明なガラスやアクリル製板の側面に設けこれより出射される光を内部に入れほぼ全反射しながら光源より遠方まで導く導光板の表面から取り出し面状の光源として液晶を背面から照射している。このとき導光板の前面あるいは裏面には細かい凹凸を刻んだり、光拡散効果のよい特殊なインクで模様を印刷したりして前面に均一に光を取り出すよう工夫されているものが多い。一般的には材料、構成および製法に高度な技術が必要とされる。
【考案の開示】
【考案が解決しようとする課題】
【０００３】棒状や紐状の物体の任意点を光らせる目的において、従来適切な方法はなく、近似の方法として同物体の所要発光点位置にＬＥＤ等発光体を逐一設けている。このため多数の点を発光させるとき同数のＬＥＤ等発光体が必要となりこれらの電線や取り付けで複雑で重くなる傾向にある。この解決にひとつの光源から多数点で光を取り出せる発光体が望まれる。この目的は前項で述べたごとく光の伝達には光ファイバーやＬＣＤの内部反射による光伝達の原理を援用しながら、光の投入および取出しには従来の方法とは全く異なる新規な本考案を用いることで簡易な装置を実現しようとする。
【課題を解決するための手段】
【０００４】本考案の発光装置はＬＥＤ等の光源の出光面と透明なガラスや樹脂製の棒状もしく紐状の導光体の端面をこれに近い屈折率を有する透明な接着剤もしくは溶剤で接合し光を投入し、同導光体表面の所要発光位置に前記と同様の透明な接着剤もしくは溶剤で光透過体を接合して構成する。光透過体はビーズや多面体の透明もしくは着色されたガラスもしくは樹脂より成り、接合面の接着剤等からの屈折、透過効果で漏れ出すが、その光を用いて発光体として作用させる。一本の導光体に複数の光透過体を設けることで前項の課題が解決される。
【考案の効果】
【０００５】本考案による発光装置は簡略な構造構成によりひとつの光源からの出射光を用いた導光体表面に多数の発光体からの発光効果が得られるため、装置の簡易化と低コスト化が可能となる。これらを複数互いに絡ませたり，織ったりして一体的に構成することも容易で、ある。このため棒状のものでは夜間の警ら棒、警戒用照明バーや多数一列に並べてノレン等の光ものに、また紐状のものではネックレス、腕輪、イアリング等装身具あるいはモールや面（織物）状の装飾用光もの等に広く新しい分野の商品が開拓可能となる。
【実施例】
【０００６】以下、本考案を図１から図３の応用実施例について説明する。図１は発光装置の概略側断面図、図２は本装置のノレンへの応用例としての概略図、図３は複数の発光装置の接合例概略図である。図１において発光装置（１）は主に光源（２）、その発光面（３）および棒状もしくは紐状の細く長い導光体（５）をＡ−Ａで示す中心線に沿って同軸に連結し構成される。このとき導光体（５）はその一端を光の入光端部（５１）とし発光面（３）と接着剤（４）で接合される。また、導光体（５）は入光端部（５１）の反対側端部である出光端部（５２）までの表面上に光透過体（６）を適宜所要の位置に接着剤（４）で接合し、ここから出る光が光透過体（６）発光体のごとく作用させる。ここに、光源（２）はＬＥＤ、ＣＣＦＬあるいは有機ＥＬ等の電力を用いた自発光素子もしくは上記出光端部（５２）のような伝達光とし、発光面（３）はＬＥＤでは保護キャップあるいはレンズで構成される。また導光体（５）はガラスやアクリル等樹脂の透明度の高い材料で成り、接着剤（４）はこの導光体（５）に近い屈折率を持つ透明なものを用いる。この結果発光面（３）から出た光は屈折率が近い接着剤（４）を通って円滑に導光体（５）に投入される。このとき光の入光端部（５１）と発光面（３）がアクリルどうし等同質の樹脂材料の場合は接着剤（４）の替わりに溶剤で溶着してもよい。なお、接着剤（４）の周囲にガイド（図示せず）を設けてより接合しやすくしてもよい。光透過体（６）は透明もしくは着色され、場合により光屈折効果が出るようにカットや成型されたビーズ、板あるいは多面体や球体形状のガラスや樹脂材料からなり、導光体（５）の表面に既述のような接着もしくは溶着で接合される。また、光透過体（６）はビーズ等中空軸を有するようにしてここに導光体（５）を通して接合することもできる（図１の最も左の光透過体（６）はその例を示す）。なお、導光体（５）は前記の棒状の剛体以外に紐状の屈曲性をもつ柔軟体でもよい。ガラスファイバーやシリコンゴムもしくは塩化ビニール等樹脂を用いて同様構成が可能である。【０００７】図２は本発光装置を複数個一列に並べ、ノレンを構成した例である。各発光装置（１）はその端部を保持具（１０）で保持されひとつの面を構成するように並べられる。必要に応じて保持部は発光装置（１）の材料が棒状の剛性の高いものでは取り付け部はヒンジ等で揺動できるようにし、紐状では固定とする。各発光装置（１）の光源にはＬＥＤ等自発光体には電力が供給される（図示せず）。各発光装置（１）に光透過体（６）を適宜配置して同図のように文字や図柄を描くことも可能である。色や輝度、発光タイミングや形状を選んで多様な組み合わせでノレンのみならず多様なディスプレイ効果媒体として応用できる。例えば複数の紐状発光装置（１）を撚り合わせそれぞれの発光色と発光タイミングを変えると全体としては一本の紐ながら側面の発光状態が時々刻々変化する効果が得られる。【０００８】図３は複数の発光装置（１）を接合した例である。光源（２）を有する導光体（５）の他端の出光端部（５２）を別の導光体（５）の側面に接着剤（４）を用いて接合することにより二つの導光体（５）は一体的に作用しそれぞれに接合した光透過体（６）は発光体として働く。このように接合部の接着剤（４）を通して導光体（５）を連結し多数組み合わせて複雑な形状の発光装置とすることも可能である。接着剤（４）の替わりに溶剤を用いても既述のとおり同様である。例えば図２のノレンの保持部（１０）内に一個の発光装置（１）を設けこれの導光体（５）に複数の紐状の導光体（５）を接着して接合し構成することも可能で、構造のより簡易化が図れる。
【図面の簡単な説明】
【０００９】
【図１】本考案に係る発光装置構造の概略側断面図
【図２】本装置のノレンへの応用例の概略図
【図３】複数の発光装置の接合例概略図
【符号の説明】
【００１０】（１）発光装置  （２）光源  （３）発光面  （４）接着剤  （５）導光体  （６）光透過体  （５１）入光端部  （５２）出光端部  （１０）保持具
【図１】
0003173083.tif 000003
【図２】
0003173083.tif 000004
【図３】
0003173083.tif 000005
【手続補正書】
【提出日】平成23年10月24日(2011.10.24)
【手続補正１】
【補正対象書類名】実用新案登録請求の範囲
【補正対象項目名】請求項１
【補正方法】変更
【補正の内容】
【請求項１】
発光ダイオード（ＬＥＤ）や冷陰極管（ＣＣＦＬ）、有機ＥＬ等光源の発光面もしくは他の発光体の出光面と、透明なガラスや樹脂製の棒状もしくは紐状よりなる導光体の端面部を、ほぼ前記導光体と同じ屈折率の透明な接着剤あるいは溶剤を用いて接合し、前記導光体の側面の表面で端部と適宜離れた位置に、前記と同種の透明な接着剤もしくは溶剤で、透明もしくは光透過性の着色をされかつ光屈折効果が付与されたガラスや樹脂製のビーズ形状あるいは多面体形状や球体形状からなる光透過体を接合し、前記光源から前記導光体に投入された光が内部を伝わりこの接合部を経て前記光透過体に入射後その表面から出光しあたかもこれが光って見えるようにしてなる発光装置。
【手続補正２】
【補正対象書類名】実用新案登録請求の範囲
【補正対象項目名】請求項４
【補正方法】変更
【補正の内容】
【請求項４】
請求項１に記載する発光装置を用い、その導光体に別体の透明なガラスや樹脂製の棒状もしくは紐状よりなる導光体の側面表面もしくは端面を互いに屈折率のほぼ同じ透明接着剤あるいは溶剤で接合し組み合わせてなる発光装置。